(57)【要約】【課題】所望する破断分割面でコンロッドの大端部を破断分割することが可能な破断分割装置を提供する。【解決手段】破断分割装置は、開口部３ａが設けられ、破断分割面４を予定するノッチ５が開口部３ａの周縁に形成されたコンロッド１の大端部３を破断分割するための装置であり、大端部３の開口部３ａに挿入される第１及び第２の治具２１、２５と、開口部３ａに挿入された第１及び第２の治具２１、２５を相互に離遠させて、開口部３ａを拡げ、コンロッド１の大端部３を破断分割する楔３０と、を備え、第１及び第２の治具２１、２５は、開口部３ａの内周面においてノッチ５に実質的に隣接した部分である隣接部分に接触する支持用接触部２３、２７と、開口部３ａの内周面におけるノッチ５及び隣接部分以外の部分に接触する押圧用接触部２２、２６と、を有している。【選択図】  図５
2006315098.tif 000002
【特許請求の範囲】
【請求項１】
開口部が設けられ、破断分割面を予定する破断予定部が前記開口部の周縁に形成されたワークを破断分割する破断分割装置であって、
前記ワークの前記開口部に挿入される治具と、
前記開口部に挿入された前記治具を拡張させて、前記開口部を拡げ、前記ワークを破断分割する拡張手段と、を備え、
前記治具は、
前記開口部の内周面において前記破断予定部に実質的に隣接した部分である隣接部分に接触する支持用接触部と、
前記開口部の内周面における前記破断予定部及び前記隣接部分以外の部分の少なくとも一部に接触する押圧用接触部と、を有する破断分割装置。
【請求項２】
前記支持用接触部又は前記押圧用接触部の少なくとも一方は、前記治具の外周面から前記治具の径方向に向かって突出するように設けられた突起部を含む請求項１記載の破断分割装置。
【請求項３】
前記突起部は、前記開口部に対する前記治具の挿入方向に沿って、前記治具の外周面に延在している請求項２記載の破断分割装置。
【請求項４】
前記突起部の外周面の曲率半径は、前記開口部の内周面の曲率半径以下である請求項２又は３記載の破断分割装置。
【請求項５】
開口部が設けられ、破断分割面を予定する破断予定部が前記開口部の周縁に形成されたワークを破断分割する破断分割方法であって、
前記ワークの前記開口部に治具を挿入する挿入ステップと、
前記開口部に挿入された前記治具を、前記開口部の内周面において前記破断予定部に実質的に隣接した隣接部分に接触させると共に、前記開口部の内周面における前記破断予定部及び前記隣接部分以外の部分の少なくとも一部に接触させた状態で、前記治具を拡張させて、前記ワークを破断させる拡張ステップと、を備えた破断分割方法。
【請求項６】
前記拡張ステップにおいて、前記治具の外周面から前記治具の径方向に向かって突出するように設けられた突起部を、前記開口部の内周面に接触させた状態で、前記治具を拡張させる請求項５記載の破断分割方法。
【請求項７】
前記拡張ステップにおいて、前記突起部は、前記開口部に対する前記治具の挿入方向に沿って前記治具の外周面に延在しており、前記治具を前記開口部の内周面に実質的に線接触させた状態で、前記治具を拡張させる請求項６記載の破断分割方法。
【発明の詳細な説明】
【技術分野】
【０００１】
本発明は、例えば内燃機関に用いられるコンロッドのような、開口部が設けられ、破断分割面を予定する破断予定部が当該開口部の周縁に形成されたワークを破断分割するための破断分割装置及び破断分割方法に関する。
【背景技術】
【０００２】
例えば、自動車等のエンジンに用いられているコネクティングロッド（Connecting  Rod：以下、単に「コンロッド」と称する。）は、エンジンにおいてピストンとクランクシャフトとを連結するために用いられている。このコネクティングロッドは、ピストンのピストンピンが挿入される開口部が形成された小端部と、クランクシャフトが挿入される開口部が形成され、破断分割面で分割された大端部と、当該小端部及び大端部を連結するロッド部と、を有している（図１参照）。
【０００３】
この分割式のコンロッドを製造する方法としては、先ず、小端部、大端部及びロッド部を、例えば、ニッケルクロム鋼やクロムモリブデン鋼等の特殊鋼を用いて鍛造成形等により一体的に形成し、次いで、大端部の開口部の内周面に破断分断面を予定するためのノッチを形成し、その後、当該ノッチを基準として、破断分割面でコンロッドの大端部で破断分割する方法が知られている。
【０００４】
この大端部を破断分割するコンロッドの製造方法は、コンロッドを一体的に形成可能であると共に、大端部を組み立てる際に、破断分割面に機械加工等を行うことなく、当該破断分割面を位置合わせ面としてそのまま用いることが可能であるため、生産性向上やコストダウンの観点において優れている。
【０００５】
このコンロッドの大端部を破断分割する装置として、ノッチに係合し、破断分割方向に対して直交方向に沿ってノッチ自体を押圧する第１の押圧部材と、大端部の開口部を破断分割方向に拡張させる第２の押圧部材と、を備えたものが従来から知られている（例えば、特許文献１参照）。
【０００６】
また、他の装置として、破断チップを大端部の開口部に食い込ませて破断予定部に形成しながら、拡張用金型を開口部内で破断分割方向に向かって拡張させるものが従来から知られている（例えば、特許文献２参照）。
【０００７】
以上のような装置では、破断予定部自体に押圧力を直接的に作用させることにより、破断起点をコントロールして、コンロッドの大端部が変形した状態で破断分割されるのを防止している。
【０００８】
しかしながら、破断分割の対象となるコンロッドの大端部が左右非対称な形状であったり、大端部の開口部周縁に破断予定部より強度が弱い部分（例えば、著しく薄肉な部分や、開口部から外周面までの距離が極端に短い部分）が存在する場合には、破断予定部に直接的に力を作用させても、破断予定部に応力を巧く集中させることが出来ず、所望する破断分割面でコンロッドを破断分割することが出来ないという問題があった。
【特許文献１】特開平５−２００６３３号公報
【特許文献２】特開平６−９１４３８号公報
【発明の開示】
【０００９】
本発明は、所望する破断分割面でワークを破断分割することが可能な破断分割装置及び破断分割方法を提供することを目的とする。
上記目的を達成するために、本発明によれば、開口部が設けられ、破断分割面を予定する破断予定部が前記開口部の周縁に形成されたワークを破断分割する破断分割装置であって、前記ワークの前記開口部に挿入される治具と、前記開口部に挿入された前記治具を拡張させて、前記開口部を拡げ、前記ワークを破断分割する拡張手段と、を備え、前記治具は、前記開口部の内周面において前記破断予定部に実質的に隣接した部分である隣接部分に接触する支持用接触部と、前記開口部の内周面における前記破断予定部及び前記隣接部分以外の部分の少なくとも一部に接触する押圧用接触部と、を有する破断分割装置が提供される。
【００１０】
また、上記目的を達成するために、本発明によれば、開口部が設けられ、破断分割面を予定する破断予定部が前記開口部の周縁に形成されたワークを破断分割する破断分割方法であって、前記ワークの前記開口部に治具を挿入する挿入ステップと、前記開口部に挿入された前記治具を、前記開口部の内周面において前記破断予定部に実質的に隣接した隣接部分に接触させると共に、前記開口部の内周面における前記破断予定部及び前記隣接部分以外の部分の少なくとも一部に接触させた状態で、前記治具を拡張させて、前記ワークを破断させる拡張ステップと、を備えた破断分割方法が提供される。
【００１１】
本発明では、ワークの開口部内において治具を拡張させる際に、当該開口部の内周面において破断予定部に実質的に隣接した隣接部分に支持用接触部を接触させると共に、当該開口部の内周面における破断予定部及び隣接部分以外の部分の少なくとも一部に押圧用接触部を接触させる。そして、ワークの開口部を拡張して破断分割させる際に、押圧用接触部によりワークを破断分割方向に押圧すると共に、支持用接触部により開口部の内周面における隣接部分を支持する。
【００１２】
これにより、治具の拡張時に、開口部周縁において破断予定部に応力を集中させることが出来るので、所望する破断分割面でワークを破断分割することが出来る。
【発明を実施するための最良の形態】
【００１３】
以下、本発明の実施形態を図面に基づいて説明する。
【００１４】
図１は本発明の実施形態におけるコンロッドを示す平面図である。先ず、本発明の実施形態において破断分割の対象となるコンロッド１について説明すると、図１に示すように、開口部２ａが形成された小端部２と、開口部３ａが形成された大端部３と、小端部２及び大端部３を連結するロッド部６と、から構成されている。このコンロッド１は、例えばニッケルクロム鋼やクロムモリブデン鋼等の特殊鋼を用いて鍛造成形等により一体的に形成した後に、破断分割面４を予定するために、大端部３の開口部３ａの内周面に、例えばレーザ加工やブローチ加工等によりＶ字形状やＵ字形状の溝等のノッチ５（破断予定部）を形成したものである。
【００１５】
なお、破断分割面４を予定するためのノッチ５の代わりに、例えば、浸炭焼入等を用いて破断分割面４を予定していない部分の硬度を高くすることにより、ノッチ５に対応する部分の硬度を相対的に弱くすることにより、破断分割面４を予定しても良い。或いは、破断分割面４を予定するためのノッチ５の代わりに、例えば、小端部２、大端部３及びロッド部６の一体形成時に、ノッチ５に相当する部分に意図的に鍛造欠陥を作り、当該部分の強度を弱くすることにより、破断分割面４を予定しても良い。
【００１６】
図２は本発明の実施形態に係る破断分割装置の全体を示す平面図、図３は図２のIII-III線に沿った断面図、図４Ａは図２に示す破断分割装置に用いられる押し治具の断面図、図４Ｂは大端部の開口部と押し治具の突起部の曲率半径の関係を示す図、図４Ｃは図４Ａに示す押し治具の側面図、図５は本発明の実施形態に係る破断分割装置の押し治具を拡張させた状態を示す部分拡大平面図、図６Ａは本発明の実施形態に係る破断分割方法による大端部の開口部周縁における応力分布グラフ、図６Ｂは従来の破断分割方法による大端部の開口部周縁における応力分布グラフである。
【００１７】
本発明の実施形態に係る破断分割装置１０は、ノッチ５を基準としてコンロッド１の大端部３を破断分割し、その結果として大端部３を破断分割面４で破断分割するための装置である。この破断分割装置１０は、図２及び図３に示すように、コンロッド１の大端部３の開口部３ａに挿入される第１及び第２の治具２１、２５から成る押し治具２０と、押し治具２０に形成された凹部２４、２８に嵌合して第１及び第２の治具２１、２５を相互に離遠させて、押し治具２０を開口部３ａ内で拡張させる楔３０と、押し治具２０を拡張させるために楔３０を移動させる破断用シリンダ４０と、楔の作用により相互に離縁する第１及び第２の治具２１、２５を支持し、装置基板９０上で摺動可能に配置された第１及び第２のテーブル５０、６０と、コンロッド１の小端部２の開口部２ａに挿入されるピン７０と、ピン７０及び押し治具２０がそれぞれ挿入されたコンロッド１を固定する２つの固定用シリンダ８０と、を備えている。
【００１８】
本実施形態に係る破断分割装置１０の押し治具２０は、大端部３の開口部３ａに挿入された際に、開口部３ａの半分の内周面（図２において右半分の内周面）に対向する第１の治具２１と、当該開口部３ａの残り半分の内周面（図２において左半分の内周面）に対向する第２の治具２５と、から構成されている。
【００１９】
第１の治具２１は、図４Ａに示すように、複数の突起部が外周面から径方向に向かって突出した略半円状の断面形状を有している。この第１の治具２１の外周面に設けられた複数の突起部は、２つの押圧用突起部２２と、２つの支持用突起部２３と、から構成されている。
【００２０】
２つの押圧用突起部２２は、図４Ａに示す第１の治具２１のＸ−Ｙ断面において、曲線表面部２１ａの中央寄り２箇所に形成されている。
【００２１】
各押圧用突起部２２の外周面の曲率半径Ｒ１は、図４Ｂに示すように、大端部３の開口部３ａの内周面の曲率半径ｒ以下となっている（Ｒ１≦ｒ）。これにより、開口部３ａ内で押し治具２０を拡張させた際に、図４Ａに示すＸ−Ｙ断面において、第１の治具２１の押圧用突起部２２を開口部３ａの内周面に点接触させることが可能となっている。
【００２２】
また、各押圧用突起部２２は、図４Ｃに示すように、大端部３の開口部３ａに対する押し治具２０の挿入方向（同図におけるＺ方向）に沿って、第１の治具２１の外周面に延在している。これにより、押し治具２１を開口部３ａ内で拡張させた際に、第１の治具２１の押圧用突起部２２を開口部３ａの内周面に線接触させることが可能となっている。
【００２３】
これに対し、２つの支持用突起部２３は、図４Ａに示す第１の治具２１のＸ−Ｙ断面において、曲線表面部２１ａの両端寄り２箇所に形成されている。この支持用突起部２３は、大端部３の開口部３ａ内で押し治具２０が拡張した際に、当該開口部３ａの内周面においてノッチ５に実質的に隣接する部分である隣接部分に接触することが可能となっている。なお、この支持用突起部２３がノッチ５自体に接触することはない。
【００２４】
各支持用突起部２３の外周面の曲率半径Ｒ２は、特に図示しないが、上述の押圧用突起部２２と同様に、大端部３の開口部３ａの内周面の曲率半径ｒ以下となっている（Ｒ２≦ｒ）。これにより、開口部３ａ内で押し治具２０を拡張させた際に、図４Ａに示すＸ−Ｙ断面において、第１の治具２１の支持用突起部２３を開口部３ａの内周面に点接触させることが可能となっている。
【００２５】
また、各支持用突起部２３は、図４Ｃに示すように、大端部３の開口部３ａに対する押し治具２０の挿入方向（同図におけるＺ方向）に沿って、第１の治具２１の外周面に延在している。これにより、押し治具２０を開口部３ａ内で拡張させた際に、第１の治具２１の支持用突起部２３を開口部３ａの内周面に線接触させることが可能となっている。
【００２６】
さらに、この第１の治具２１には、図３に示すような鉛直方向に対して傾斜した斜面を有する凹部２４が、第２の治具２５に対向する面に形成されている。この凹部２４に楔３０が挿入されることにより、楔の作用により第１及び第２の治具２１、２５の間を押し広げることが可能となっている。
【００２７】
第２の治具２５も、第１の治具２０と同様に、図４Ａに示すように、複数の突起部が外周面から径方向に向かって突出した略半円状の断面形状を有している。この第２の治具２５の外周面に形成された複数の突起部は、２つの押圧用突起部２６と、２つの支持用突起部２７と、から構成されている。
【００２８】
２つの押圧用突起部２６は、図４Ａに示す第２の治具２５のＸ−Ｙ断面において、曲線表面部２５ａの中央寄り２箇所に形成されている。
【００２９】
各押圧用突起部２６の外周面の曲率半径Ｒ３も、特に図示しないが、大端部３の開口部３の内周面の曲率半径ｒ以下となっている（Ｒ３≦ｒ）。これにより、押し治具２０を開口部３ａ内で拡張させた際に、図４Ａに示すＸ−Ｙ断面において、第２の治具２５の押圧用突起部２６を開口部３ａの内周面に点接触させることが可能となっている。
【００３０】
また、各押圧用突起部２６は、図４Ｃに示すように、大端部３の開口部３ａに対する押し治具２０の挿入方向に沿って（同図におけるＺ方向）、第２の治具２５の外周面に延在している。これにより、押し治具２１を開口部３ａ内で拡張させた際に、第２の治具２５の押圧用突起部２６を開口部３ａの内周面に線接触させることが可能となっている。
【００３１】
これに対し、２つの支持用突起部２７は、図４Ａに示す第２の治具２５のＸ−Ｙ断面において、曲線表面部２１ａの両端寄り２箇所に形成されている。この支持用突起部２７は、大端部３の開口部３ａ内で押し治具２０が拡張した際に、当該開口部３ａの内周面においてノッチ５に実質的に隣接する部分である隣接部分に接触することが可能となっている。なお、この支持用突起部２７がノッチ５自体に接触することはない。
【００３２】
各支持用突起部２７の外周面の曲率半径Ｒ４は、特に図示しないが、上述の押圧用突起部２６と同様に、大端部３の開口部３ａの内周面の曲率半径ｒ以下となっている（Ｒ４≦ｒ）。これにより、開口部３ａ内で押し治具２０を拡張させた際に、図４Ａに示すＸ−Ｙ断面において、第２の治具２５の支持用突起部２７を開口部３ａの内周面に点接触させることが可能となっている。
【００３３】
また、各支持用突起部２３は、図４Ｃに示すように、大端部３の開口部３ａに対する押し治具２０の挿入方向（同図におけるＺ方向）に沿って、第２の治具２５の外周面に延在している。これにより、押し治具２０を開口部３ａ内で拡張させた際に、第２の治具２５の支持用突起部２７を開口部３ａの内周面に線接触させることが可能となっている。
【００３４】
さらに、この第２の治具２５にも、楔３０が挿入される凹部２８が形成されているが、図３に示すように、この凹部２８には、第１の治具２１の凹部２４のような斜面は形成されていない。
【００３５】
本実施形態に係る破断分割装置１０の楔３０は、図３に示すように、押し治具２０の第１の治具２１に形成された凹部２４の斜面に対応するような、鉛直方向に対して傾斜した斜面を有している。この楔３０は、第１及び第２の治具２１、２５にそれぞれ形成された凹部２４、２８に挿入されており、さらにその下端部が、装置基板９０に形成された開口９１を介して、例えば、油圧シリンダ等を有する破断用シリンダ４０に連結されている。そして、破断用シリンダ４０が、楔３０を鉛直下向きに引き寄せるように駆動すると、楔３０の斜面が第１の治具２１の凹部２４の斜面に当接して摺動し、第１の治具２１と第２の治具２５との間を押し広げるように作用する。
【００３６】
このように楔３０の作用により押し広げられる第１の治具２１及び第２の治具２５は、それぞれ第１のテーブル５０及び第２のテーブル６０に、例えばボルト締結等の手法により固定されている。この第１の治具２１を支持する第１のテーブル５０は、特に図示しないガイドレール等を介在させて装置基板９０上に支持されており、楔３０の押し広げ作用に伴って、図２及び図３に示すＸ軸正方向に摺動可能となっている。第２の治具２５を支持する第２のテーブル６０も同様に、特に図示しないガイドレール等を介在させて装置基板９０上に支持されており、楔３０の押し広げ作用に伴って、図２及び図３に示すＸ軸負方向に摺動可能となっている。
【００３７】
ピン７０は、図２及び図３に示すように、コンロッド１の小端部２の開口部２ａの内径より若干小さな直径を有し、当該開口部２ａに挿入可能となっている。また、このピン７０は、ボルト締結等の手法により装置基板９０に固定されている。
【００３８】
固定用シリンダ８０は、装置基板９０上に配置された、例えばエアシリンダ等を有しており、小端部２の開口部２ａにピン７０が挿入され、大端部３の開口部３ａに押し治具２０が挿入されたコンロッド１の左右肩部を押圧して、当該コンロッド１を固定することが可能となっている。
【００３９】
次に作用について説明する。
【００４０】
先ず、破断用シリンダ４０を十分に上昇させると共に、いずれの固定用シリンダ８０も十分に収縮させた状態で、図２及び図３に示すように、小端部２の開口部２ａにピン７０を挿入し、大端部３の開口部３ａに押し治具２０を挿入し、この状態で、２つの固定用シリンダ８０を駆動させて、大端部３の左右肩部を押し付け、破断分割装置１０にコンロッド１を固定する。
【００４１】
次に、楔３０を鉛直下向きに引き寄せるように破断用シリンダ４０を駆動させ、楔３０が、第１及び第２の治具２１、２５の凹部２４、２８に対して楔として作用し、第１の治具２１と第２の治具２５との間を押し広げて、大端部３の開口部３ａの内部に挿入された押し治具２０を拡張させる。この押し治具２０の拡張により大端部３の開口部３ａが拡げられ、周囲より強度の弱いノッチ５をきっかけとして、破断分割面４が破断限界を超えて、予定されていた当該破断分割面４で大端部３が破断分割される。
【００４２】
この押し治具２０の拡張時において、図５に示すように、第１及び第２の治具２１、２５に設けられた各押圧用突起部２２、２６が、大端部３の開口部３ａの内周面を破断分割方向に向かって押圧する。これと同時に、当該第１及び第２の治具２１、２５に設けられた各支持用突起部２３、２７が、開口部３ａの内周面においてノッチ５に実質的に隣接する部分を支持する。なお、押圧用突起部２２、２６及び支持用突起部２３、２７が開口部３ａの内周面に接触した状態において、第１及び第２の治具の突起部２２、２３、２６及び２７以外の外周面は、開口部３ａの内周面に対して非接触な状態となっている。
【００４３】
即ち、本実施形態では、押し治具２０の拡張時に、第１及び第２の治具２１、２５の外周面において突起部２２、２３、２６及び２７のみを大端部３の開口部３ａの内周面に接触させ、支持用突起部２３、２７でノッチ５近傍の隣接部分を支持しながら、押圧用突起部２２、２６で開口部３ａを押圧する。
【００４４】
本実施形態では、押し治具２０の拡張時に、支持用突起部２３、２７でノッチ５近傍の隣接部分を支持しながら、大端部３の開口部３ａを拡げることにより、図６Ａに示すように、開口部３ａの周縁において、ノッチ５が形成されていない部分と比較して、ノッチ５が形成されている部分（同図における９０°及び２７０°）に発生する応力を相対的に大きくすることが出来（同図における応力差：Δσ１）、ノッチ５に応力を集中させることが出来る。
【００４５】
これに対し、突起部を一切設けていない円柱状の押し治具を用いた従来の装置では、図６Ｂに示すように、開口部３ａの周縁において、ノッチ５が形成されていない部分と比較して、ノッチが形成されている部分（同図における９０°及び２７０°）にそれ程大きな応力を発生させることは出来ず（同図における応力差：Δσ２、Δσ２＜Δσ１）、ノッチ５に応力を十分に集中させることは出来ない。
【００４６】
なお、図６Ａ及び図６Ｂにおいて、横軸の目盛りは、大端部３の開口部３ａ周縁におけるロッド部６の連結部分を基準とした位置を示している。例えば、この横軸における「９０°」及び「２７０°」は、開口部３ａ周縁においてノッチ５が形成された部分を示している。これに対し、横軸における「０°」は、開口部３ａ周縁においてロッド部６が連結している部分を示し、横軸における「１８０°」は、開口部３ａ周縁においてロッド連結部の反対側の部分を示している。図５中に、図６Ａ及び図６Ｂの横軸と開口部３ａ周縁における位置の関係を示す。
【００４７】
また、本実施形態では、押し治具２０の拡張時に、図５におけるＸ−Ｙ断面において、大端部３の開口部３ａの内周面に対して、突起部２２、２３、２６及び２７を点接触させる。これにより、肉厚が薄い部位等から他の部位へ応力を分散させ、ノッチ５が形成されていない部分の応力ピークを下げることが出来るので、コンロッド１の大端部が捻れや割れを伴いながら破断分割されるのを防止することが出来る。
【００４８】
一般的に、コンロッド１の破断分割では、大端部３の開口部３ａに形成された２つのノッチ５のうちの何れか一方が先に破断する。このため、突起部を一切設けていない円柱状の押し治具を用いた従来の装置では、押し治具の拡張時に、押し治具の断面（図５に示す押し治具２０のＸ−Ｙ断面に相当）における押し治具と開口部の内周面との接触点が、一方のノッチ５が破断する前後で変化するため、その後の他方のノッチ５の破断に対して悪影響を及ぼす場合がある。
【００４９】
これに対し、本実施形態では、押し治具２０の拡張時に、図５におけるＸ−Ｙ断面において、大端部３の開口部３ａの内周面に対して、常時、突起部２２、２３、２６及び２７で点接触している。そのため、Ｘ−Ｙ断面における押し治具２０と開口部３ａの内周面との接触点は、一方のノッチ５が破断する前後で変化することがなく、他方のノッチ５も所望する破断分割面４に沿って分割することが出来る。
【００５０】
さらに、本実施形態では、各突起部２２、２３、２６、２７が、押し治具２０の挿入方向に沿って、第１及び第２の治具２１、２５の外周面に延在していることにより、押し治具２０の拡張時に、コンロッド１の大端部３が、押し治具２０の挿入方向に対して変形するのを防止することが出来る。
【００５１】
なお、以上説明した実施形態は、本発明の理解を容易にするために記載されたものであって、本発明を限定するために記載されたものではない。したがって、上記の実施形態に開示された各要素は、本発明の技術的範囲に属する全ての設計変更や均等物をも含む趣旨である。
【００５２】
上述の実施形態では、小端部、大端部及びロッド部が一体的に形成されたタイプのコンロッドについて破断分割装置を適用した場合について説明したが、本発明においては特にこれに限定されない。例えば、小端部及びロッド部の結合体に対して大端部を別体で形成したタイプのコンロッドに本発明を適用しても良い。或いは、大端部が別体で形成されたコンロッドにおいて、大端部が左右非対称な形状であったり、大端部が開口部周縁にノッチより強度が弱い部分（例えば、著しく薄肉な部分や、開口部から大端部外周面までの距離が極端に短い部分）が存在する場合にも、本発明を適用することが出来る。本発明では、以上のようなタイプのコンロッドに対しても、応力をノッチに巧く集中させることが出来、所望する破断分割面でコンロッドの大端部を破断分割することが出来る。
【００５３】
また、上述の実施形態では、第１及び第２の治具２１、２５にそれぞれ４つの突起部２２、２３、２６及び２７を設けたが、本発明においては特にこれに限定されず、例えば４つ以上の突起部を設けても良い。
【図面の簡単な説明】
【００５４】
【図１】図１は、本発明の実施形態におけるコンロッドを示す平面図である。
【図２】図２は、本発明の実施形態に係る破断分割装置の全体を示す平面図である。
【図３】図３は、図２のIII-III線に沿った断面図である。
【図４Ａ】図４Ａは、図２に示す破断分割装置に用いられる押し治具の断面図である。
【図４Ｂ】図４Ｂは、大端部の開口部と押し治具の突起部の曲率半径の関係を示す図である。
【図４Ｃ】図４Ｃは、図４Ａに示す押し治具の側面図である。
【図５】図５は、本発明の実施形態に係る破断分割装置の押し治具を拡張させた状態を示す部分拡大平面図である。
【図６Ａ】図６Ａは、本発明の実施形態に係る破断分割方法による大端部の開口部周縁における応力分布グラフである。
【図６Ｂ】図６Ｂは、従来の破断分割方法による大端部の開口部周縁における応力分布グラフである。
【符号の説明】
【００５５】
１…コンロッド
２…小端部
２ａ…開口部
３…大端部
３ａ…開口部
４…破断分割面
５…ノッチ
６…ロッド部
１０…破断分割装置
２０…押し治具
２１…第１の治具
２１ａ…曲線表面部
２２…押圧用突起部
２３…支持用突起部
２４…凹部
２５…第２の治具
２５ａ…曲線表面部
２６…支持用突起部
２７…押圧用突起部
２８…凹部
３０…楔
４０…破断用シリンダ
５０、６０…テーブル
７０…ピン
８０…固定用シリンダ
９０…装置基板
【図１】
2006315098.tif 000003
【図２】
2006315098.tif 000004
【図３】
2006315098.tif 000005
【図４Ａ】
2006315098.tif 000006
【図４Ｂ】
2006315098.tif 000007
【図４Ｃ】
2006315098.tif 000008
【図５】
2006315098.tif 000009
【図６Ａ】
2006315098.tif 000010
【図６Ｂ】
2006315098.tif 000011